(57)【要約】【課題】ディジタルテレビ放送波の変調同期信号を検出したことを画面に表示し、放送エリア内であることを使用者に通知できる携帯型ディジタルテレビジョン放送受信機及び携帯電話機を提供する。【解決手段】放送受信部３内の電界強度検出部７が受信放送波の電界強度を検出して制御部８へ出力する。制御部８は、同期部５から入力された変調同期信号をもとにディジタルテレビジョン放送エリアを表示部９に表示させ、かつ、電界強度検出部７から入力された受信電界強度信号をもとにディジタルテレビジョン受信レベルを表示部９に表示させる。このとき、同期部５は、受信部４でディジタルベースバンド信号に変換された受信放送波から変調同期信号を検出した場合に、ディジタルテレビジョン放送エリア内の表示を表示部９に表示させる。【選択図】図１
2007110444.tif 000002
【特許請求の範囲】
【請求項１】
電波の受信状況を表示する携帯型ディジタルテレビジョン放送受信機であって、
ディジタルテレビジョン放送波を受信する放送受信部と、
前記放送受信部が受信したディジタルテレビジョン放送波の受信レベルの表示とディジタルテレビジョン放送エリアの表示とを行う表示部と、
を備えることを特徴とする携帯型ディジタルテレビジョン放送受信機。
【請求項２】
前記受信レベルは、前記放送受信部で検出された受信電界強度、受信データ誤り率、又はキャリア信号対ノイズレベル比のうちいずれか一つ又は複数に対応した受信信号品質を示すものであって、
前記表示部は、所定のレベル以上の品質の映像又は音声の復調が可能な時に前記受信レベルを表示することを特徴とする請求項１に記載の携帯型ディジタルテレビジョン放送受信機。
【請求項３】
前記ディジタルテレビジョン放送エリアの表示は、前記放送受信部で受信されたディジタルテレビジョン放送波の変調同期信号の検出の有無に対応したものであることを特徴とする請求項１又は請求項２に記載の携帯型ディジタルテレビジョン放送受信機。
【請求項４】
前記ディジタルテレビジョン放送エリアが表示される最低の受信電界強度は、前記受信レベルの表示される最低の受信電界強度よりも低く設定されることを特徴とする請求項１乃至請求項３の何れかに記載の携帯型ディジタルテレビジョン放送受信機。
【請求項５】
電波の受信状況を表示する携帯電話機であって、
ディジタルテレビジョン放送波を受信する放送受信部と、
前記放送受信部が受信したディジタルテレビジョン放送波の受信レベルの表示とディジタルテレビジョン放送エリアの表示とを行う表示部と、
を備えることを特徴とする携帯電話機。
【請求項６】
前記表示部は、携帯電話動作中に前記受信レベルの表示と前記ディジタルテレビジョン放送エリアの表示とを行うことを特徴とする請求項５に記載の携帯電話機。
【請求項７】
前記表示部は、携帯電話動作からディジタルテレビジョン放送波を受信する動作に切り替えるとき、前記ディジタルテレビジョン放送エリアの表示がされない範囲であればその旨の警告を表示することを特徴とする請求項６に記載の携帯電話機。
【請求項８】
前記表示部は、ディジタルテレビジョン放送波の受信中に受信レベルの表示を行うことを特徴とする請求項５記載の携帯電話機。
【請求項９】
前記表示部は、ディジタルテレビジョン放送波を受信する動作から携帯電話動作に切り替えるとき、表示された受信レベルが所定の値以下である場合はその旨の警告を表示することを特徴とする請求項８に記載の携帯電話機。
【発明の詳細な説明】
【技術分野】
【０００１】
本発明は、電波の受信状況を適切に表示する携帯型ディジタルテレビジョン放送受信機、及び携帯電話機に関する。
【背景技術】
【０００２】
従来より、携帯型ディジタルテレビジョン放送受信機や携帯電話機などの携帯無線端末における電波の受信状況を表示する受信状況表示方法としては、受信電界レベルに応じて複数の閾値を設定してアンテナバーとして画面部に表示し、その際、受信電界レベルが圏外判定レベル以下の場合には圏外と表示する構成が一般的に知られている。
【０００３】
また、携帯電話機の表面に複数の発光体を備え、受信電界レベルに応じてこれらの発光体の発光数を変化させることによって電波の受信状況を表示する構成なども知られている（例えば、特許文献１参照）。この技術によれば、携帯電話機の使用中にその携帯電話機がどのような電界強度の中にあるかを容易に確認することができるので、安心して通話を行うことができる。さらに、発光体が数多く点灯する方向に向けて移動することによって通話状態を常に良好に保つことができる。
【特許文献１】特開平７−２７３７２０号公報
【発明の開示】
【発明が解決しようとする課題】
【０００４】
しかしながら、上記従来の携帯電話機による表示の構成例では、受信電界レベルが圏外判定レベル以下の場合には、例えディジタルテレビ放送波の変調同期信号が検出できていたとしても圏外と表示されてしまうため、使用者には現在地がサービスエリア内であるか否かを判断することができない。また、アナログテレビ放送では受信信号品質の劣化と映像品質の劣化はリニアな関係であり、サービスエリア内であれば受信信号品質が低い場合でも乱れた映像が表示されることによりサービスエリア内であることが使用者で判断できるが、ディジタルテレビ放送では、サービスエリア内でも受信信号の誤り率が一定以上のレベルとなった場合には映像が全く表示されず、使用者はサービスエリア内であってもサービスエリア外であると判断してしまうおそれがある。
【０００５】
本発明はかかる点に鑑みてなされたものであり、ディジタルテレビ放送のサービスエリア内であることを使用者に明確に通知することができる携帯型ディジタルテレビジョン放送受信機及び携帯電話機を提供することを目的とする。
【課題を解決するための手段】
【０００６】
上記目的を達成するために、本発明に係る携帯型ディジタルテレビジョン放送受信機は、電波の受信状況を表示する携帯型ディジタルテレビジョン放送受信機であって、ディジタルテレビジョン放送波を受信する放送受信部と、放送受信部が受信したディジタルテレビジョン放送波の受信レベルの表示とディジタルテレビジョン放送エリアの表示とを行う表示部とを備える構成を採っている。このような構成によれば、使用者はディジタルテレビジョン放送エリア内か否かを容易に判断することができる。
【０００７】
また、本発明に係る携帯型ディジタルテレビジョン放送受信機は、前記発明の構成において、受信レベルは、放送受信部で検出された受信電界強度、受信データ誤り率、又はキャリア信号対ノイズレベル比のうちいずれか一つ又は複数に対応した受信信号品質を示すものであって、表示部は、所定のレベル以上の品質の映像又は音声の復調が可能な時に受信レベルを表示する構成を採っている。このような構成によれば、使用者はディジタルテレビジョン放送の受信状況を正確に把握することができる。
【０００８】
また、本発明に係る携帯型ディジタルテレビジョン放送受信機は、前記発明の構成において、ディジタルテレビジョン放送エリアの表示は、放送受信部で受信されたディジタルテレビジョン放送波の変調同期信号の検出の有無に対応したものである構成を採っている。このような構成によれば、使用者はディジタルテレビジョン放送エリア内か否かを正確に判断することができる。
【０００９】
また、本発明に係る携帯型ディジタルテレビジョン放送受信機は、前記発明の構成において、ディジタルテレビジョン放送エリアが表示される最低の受信電界強度は、受信レベルの表示される最低の受信電界強度よりも低く設定される構成を採っている。このような構成によれば、使用者は、ディジタルテレビジョン放送の受信状況が悪くても放送エリア内か否かかを容易に判断することができる。
【００１０】
また、本発明に係る携帯電話機は、電波の受信状況を表示する携帯電話機であって、ディジタルテレビジョン放送波を受信する放送受信部と、放送受信部が受信したディジタルテレビジョン放送波の受信レベルの表示とディジタルテレビジョン放送エリアの表示とを行う表示部とを備える構成を採っている。このような構成によれば、使用者はディジタルテレビジョン放送の受信状況を正確に把握することができる。
【００１１】
また、本発明に係る携帯電話機は、前記発明の構成において、表示部は、携帯電話動作中に受信レベルの表示とディジタルテレビジョン放送エリアの表示とを行う構成を採っている。このような構成によれば、使用者は、携帯電話機能の使用中であっても、ディジタルテレビジョン放送の受信状況を正確に把握することができる。
【００１２】
また、本発明に係る携帯電話機は、前記発明の構成において、表示部は、携帯電話動作からディジタルテレビジョン放送波を受信する動作に切り替えるとき、ディジタルテレビジョン放送エリアの表示がされない範囲であればその旨の警告を表示する構成を採っている。このような構成によれば、ディジタルテレビジョン放送エリア外である場合にはディジタルテレビジョン放送の受信動作に切り替わらないため、消費電力を削減することができる。
【００１３】
また、本発明に係る携帯電話機は、前記発明の構成において、表示部は、ディジタルテレビジョン放送波の受信中に受信レベルの表示を行う構成を採っている。このような構成によれば、使用者は、ディジタルテレビジョン放送の視聴中であっても、携帯電話機の受信状況を正確に把握することができる。
【００１４】
また、本発明に係る携帯電話機は、前記発明の構成において、表示部は、ディジタルテレビジョン放送波を受信する動作から携帯電話動作に切り替えるとき、表示された受信レベルが所定の値以下である場合はその旨の警告を表示する構成を採っている。このような構成によれば、携帯電話機が圏外である場合には携帯電話動作に切り替わらないため、使用者の利便性を一段と高めることができる。
【発明の効果】
【００１５】
本発明によれば、携帯型ディジタルテレビジョン放送受信機又は携帯電話機がディジタルテレビ放送のサービスエリア内にあるか否かを使用者に明確に通知することができる。したがって、利便性を高めた携帯型ディジタルテレビジョン放送受信機及び携帯電話機を提供することができる。
【発明を実施するための最良の形態】
【００１６】
〈発明の概要〉
本発明の携帯型ディジタルテレビジョン放送受信機は、少なくとも、ディジタルテレビジョン放送波を受信する放送受信部と表示部とを備えていて、表示部が、放送受信部の受信したディジタルテレビジョン放送波の受信レベルの表示とディジタルテレビジョン放送エリアの表示とを行うように構成されている。このとき表示される受信レベルは、放送受信部で検出された受信電界強度、受信データ誤り率、又はキャリア信号対ノイズレベル比のうちいずれかに対応した受信信号品質を示すものであって、表示部は、所定のレベル以上の品質の映像又は音声の復調が可能な時にそれらの受信レベルを表示する。また、ディジタルテレビジョン放送エリアの表示は、放送受信部で受信されたディジタルテレビジョン放送波の変調同期信号の検出の有無に対応したものである。このような構成によって、使用者はディジタルテレビジョン放送エリア内にあるか否かを容易に判断することができると共に、ディジタルテレビジョン放送の受信状況を正確に把握することができる。
【００１７】
また、本発明の携帯電話機は、ディジタルテレビジョン放送波を受信する放送受信部と表示部とを具備した携帯電話機であって、表示部が、携帯電話動作中に受信レベルの表示とディジタルテレビジョン放送エリアの表示とを行うように構成されている。また、携帯電話動作からディジタルテレビジョン放送を受信する動作に切り替える場合は、ディジタルテレビジョン放送エリアが表示がされない範囲であればその旨の警告が表示されるようになっている。さらに、ディジタルテレビジョン放送波を受信中に携帯電話機の受信レベルを表示部に表示するようになっている。また、ディジタルテレビジョン放送波を受信する動作から携帯電話動作に切り替える場合は、携帯電話機による受信レベルの表示が所定の値以下である場合はその旨の警告が表示されるようになっている。このような構成により、使用者は、携帯電話機能の使用中であっても、ディジタルテレビジョン放送波の受信状況を正確に把握することができると共に、ディジタルテレビジョン放送波のエリア外である場合にはディジタルテレビジョン放送波の受信動作に切り替わらないため、消費電力を削減することができる。さらには、携帯電話機が圏外である場合には携帯電話動作に切り替わらないために使用者の利便性を一段と高めることができる。
【００１８】
以下、本発明に係る携帯型ディジタルテレビジョン放送受信機及び携帯電話機の実施の形態の幾つかについて、図面を参照しながら詳細に説明する。なお、各実施の形態に用いる図面において、同一の構成要素は同一の符号を付し、かつ重複する説明は可能な限り省略する。
【００１９】
〈実施の形態１〉
図１は、本発明の実施の形態１に係る携帯型ディジタルテレビジョン放送受信機の構成を示すブロック図である。図１において、携帯型ディジタルテレビジョン放送受信機１は、ディジタルテレビジョン放送波を受信するアンテナ２と、受信部４、同期部５、復調部６、及び電界強度判定部７よりなる放送受信部３と、映像信号や音声信号を再生するための制御を行う制御部８と、復調部６から入力された映像信号を再生させる表示部９と、復調部６から入力された音声信号を再生させる音声再生部１０とを備えた構成となっている。
【００２０】
次に、図１に示す構成の携帯型ディジタルテレビジョン放送受信機１の動作について概略的に説明する。ディジタルテレビジョン放送波は、本体１の内部又は表面に設けられたアンテナ２により受信されて放送受信部３に入力される。放送受信部３において、受信部４は、アンテナ２から入力された受信放送波（つまり、ディジタルテレビジョン放送波）をディジタルベースバンド信号に変換する。同期部５は、ディジタルベースバンド信号に変換された受信放送波から変調同期信号を検出し、復調部６及び制御部８へ出力する。
【００２１】
復調部６は、ディジタルベースバンド信号に変換された受信放送波を同期部５から入力された変調同期信号を参照して映像信号及び音声信号に変換して制御部８へ出力する。電界強度判定部７は、受信放送波の電界強度を検出して制御部８へ出力する。制御部８は、復調部６から入力された映像信号を表示部９で再生させ、復調部６から入力された音声信号を音声再生部１０で再生させる。さらに、制御部８は、同期部５から入力された変調同期信号をもとにディジタルテレビジョン放送エリアを表示部９に表示させ、かつ、電界強度判定部７から入力された受信電界強度信号をもとにディジタルテレビジョン受信レベルを表示部９に表示させる。
【００２２】
なお、表示部９は、例えば、液晶やジアミン類などの発光体からなる有機ＥＬ（Electro Luminescence）といった素子で構成される映像表示装置である。音声再生部１０は、例えばスピーカやイヤホンといった素子で構成される音声出力装置である。
【００２３】
次に、図１のように構成され実施の形態１の携帯型ディジタルテレビジョン放送受信機１において、表示部９にディジタルテレビジョン放送波の受信状況を表示させる方法を、以下の３つの状態において図２、図３、及び図４を参照しながら説明する。なお、図２は、本発明の実施の形態１に係る携帯型ディジタルテレビジョン放送受信機の表示部９における、受信電界強度が高い場合（状態１）の表示状態の一例を示す図である。また、図３は、本発明の実施の形態１に係る携帯型ディジタルテレビジョン放送受信機の表示部９における、受信電界強度は低いが変調同期信号は受信可能である場合（状態２）の表示状態の一例を示す図である。さらに、図４は、本発明の実施の形態１に係る携帯型ディジタルテレビジョン放送受信機の表示部９における、受信電界強度が低く変調同期信号も受信できない場合（状態３）の表示状態の一例を示す図である。また、図５は、本発明の実施の形態１に係る携帯型ディジタルテレビジョン放送受信機の表示部９の余白に表示された放送波受信状況の各状態の表示例を示す図であるので必要に応じて図５も参照する。
【００２４】
ディジタルテレビジョン放送波の受信電界強度が十分高く映像を視聴できる場合（状態１）では、図２に示すように、例えば表示部９の上部余白に、受信レベル表示として、アンテナバーなどを表示させる。アンテナバーの本数は、例えば図５に示すように、受信電界強度の設定値と連動して増減させる。すなわち、図２の表示例に示すように３本のアンテナバーの全てが表示されている場合は、図５のように、受信電界強度が−５０ｄＢｍ以上であって良好な画質を得られるレベル（状態１）であることを示している。また、この状態（状態１）では、ディジタルテレビジョン放送波の変調同期信号は当然検出されているため、変調同期信号の検出によりディジタルテレビジョン放送エリア内と判断され、放送エリア表示として、図２に示すように、例えばアンテナバー表示の横にＤＴＶマークを表示させる。
【００２５】
また、ディジタルテレビジョン放送波の受信電界強度が映像を視聴不可能なレベル（−１１０ｄＢｍ未満）まで低下しているが、ディジタルテレビジョン放送波の変調同期信号を同期部５によって検出可能な場合（状態２）では、図３に示すように、アンテナバーは０本表示となり、映像を視聴できないことを示している。しかし、放送エリア表示としてのＤＴＶマークは表示されているため、使用者はディジタルテレビジョン放送の放送エリア内にいることを知ることができる。
【００２６】
なお、ディジタルテレビジョン放送波の受信電界強度が−５０ｄＢｍ以上であって良好な画質を得られるレベル（状態１）から、受信電界強度が映像を視聴不可能なレベル（−１１０ｄＢｍ未満）まで低下しているが、ディジタルテレビジョン放送波の変調同期信号を同期部５によって検出可能な場合（状態２）までの各状態においては、図５に示すように段階的にアンテナバーの本数が変化して表示される。すなわち、状態１よりやや低い受信電界強度（−８０ｄＢｍ以上、−５０ｄＢｍ未満）の状態１ａではアンテナバーは２本の表示となり、さらに、状態１ａよりやや低い受信電界強度（−１１０ｄＢｍ以上、−８０ｄＢｍ未満）の状態１ｂではアンテナバーは１本の表示となる。
【００２７】
また、放送波の受信電界強度が映像を視聴不可能なレベルまで低下し、さらに放送波の変調同期信号も同期部５で検出不可能な場合（状態３）では、図４に示すように、表示部９の上部余白には、例えばアンテナバーやＤＴＶマークは表示されない。これにより、使用者はディジタルテレビジョン放送の放送エリア外にいることを知ることができる。
【００２８】
以上のような受信電界強度に連動した表示動作により、携帯型ディジタルテレビジョン放送受信機１の移動中において、現在地がディジタルテレビジョン放送のサービスエリア内にあるか否かが使用者には判断できない場合においても、変調同期信号の検出情報（つまり、ＤＴＶマーク）を放送エリア表示として表示部に表示させることにより、受信電界強度が映像を再生できないレベルにまで低下していても、サービスエリア内にあるか否かを使用者に通知することができる。したがって、使用者は、この検出情報（ＤＴＶマーク）をもとに、サービスエリア内にある場合には頻繁に放送受信を試みることにより視聴チャンスを高めることができる。
【００２９】
なお、実施の形態１においては、図５に示すように、受信レベル表示として受信電界強度と比例した最高３本のアンテナバー表示を用いる構成を示したが、アンテナバーの最高本数は何本でも構わない。また、実施の形態１では受信電界強度に比例したアンテナバーの本数の表示を行ったが、これに限ることはなく、受信電界強度に比例した表示が実現できるような如何なる表示方法を用いても本発明が実現されることはいうまでもない。さらに、実施の形態１においては、受信電界強度が映像を視聴不可能なレベルまで低下している場合には、アンテナバーを０本表示とする構成を示したが、受信電界強度が低いことを示すものとして、例えば圏外マーク等のマークや文字によって表示を行う構成としても本発明が実現されることはいうまでもない。
【００３０】
〈実施の形態２〉
図６は、本発明の実施の形態２に係る携帯型ディジタルテレビジョン放送受信機の構成を示すブロック図である。実施の形態２に係る携帯型ディジタルテレビジョン放送受信機１が実施の形態１と異なる点は、実施の形態１では放送受信部３に電界強度判定部７を備えていたところを、実施の形態２では放送受信部１１に誤り率判定部１２を備えたところである。このように放送受信部の構成が異なっているため、実施の形態１の放送受信部３は、実施の形態２では放送受信部１１と符号が変えてある。
【００３１】
図６において、放送受信部１１は、受信部４、同期部５、復調部６、及び受信放送波の受信データ誤り率を算出する誤り率判定部１２によって構成されている。この誤り率判定部１２は、受信放送波の受信データ誤り率を算出して制御部８へ出力する。すると、制御部８は、同期部５から入力された変調同期信号をもとにディジタルテレビジョン放送エリアを表示部９に表示させ、かつ、誤り率判定部１２から入力された受信データ誤り率をもとにディジタルテレビジョン受信レベルを表示部９に表示させる。それ以外の構成及び動作は実施の形態１と同じであるので重複する説明は省略する。
【００３２】
次に、図６のように構成された実施の形態２の携帯型ディジタルテレビジョン放送受信機１において、表示部９にディジタルテレビジョン放送波の受信状況を表示させる方法を、以下の３つの状態において前述の図２、図３、及び図４を参照しながら説明する。なお、実施の形態２では、図２の受信電界強度が高い場合（状態１）を、受信データ誤り率が低い場合（状態１１）と読み替え、図３の受信電界強度は低いが変調同期信号は受信可能である場合（状態２）を、受信データ誤り率はやや高いが変調同期信号は受信可能である場合（状態１２）と読み替え、さらに、図４の受信電界強度が低く変調同期信号も受信できない場合（状態３）を、受信データ誤り率が高く変調同期信号も受信できない場合（状態１３）と読み替えることにする。また、図７は、本発明の実施の形態２に係る携帯型ディジタルテレビジョン放送受信機の表示部９の余白に表示された放送波受信状況の各状態の表示例を示す図であるので必要に応じて図７も参照する。
【００３３】
図６のように構成された携帯型ディジタルテレビジョン放送受信機において、表示部９にディジタルテレビジョン放送波の受信状況を表示させる方法を以下の３つの状態において説明する。ディジタルテレビジョン放送波の受信データ誤り率が低く映像を視聴できる場合（状態１１）では、図２に示すように、例えば表示部９の上部余白に、受信レベル表示として、例えばアンテナバーを表示させる。アンテナバーの本数は、例えば図７に示すような設定値により受信データ誤り率と連動して増減させ、受信データ誤り率が低いほどアンテナバーの本数を多くする。
【００３４】
例えば、図２の表示例に示すように３本全てのアンテナバーが表示されている場合は、図７の状態１１に示すように受信データ誤り率が０％であって、受信データに誤りが無く良好な画質を得られることを示している。また、この状態（つまり、状態１１）では、ディジタルテレビジョン放送波の変調同期信号は当然検出されているため、変調同期信号の検出によりディジタルテレビジョン放送エリア内と判断され、放送エリア表示として、図２に示すように、例えばアンテナバー表示の横にＤＴＶマークを表示させる。
【００３５】
また、放送波の受信データ誤り率が映像を視聴不可能なレベルまで劣化しているが放送波の変調同期信号を同期部５によって検出可能な場合（状態１２）では、図３に示すようにアンテナバーは０本表示となり、映像を視聴できないことを示している。しかし、放送エリア表示としてのＤＴＶマークは表示されているため、使用者はディジタルテレビジョン放送の放送エリア内にいることを知ることができる。このような状態１２は、図７に示すように受信データ誤り率が６０％を超えたときである。
【００３６】
なお、ディジタルテレビジョン放送波の受信データ誤り率が０％であって良好な画質を得られるレベル（状態１１）から、受信データ誤り率が映像を視聴不可能なレベル（６０％＜データ誤り率）まで低下しているが、ディジタルテレビジョン放送波の変調同期信号を同期部５によって検出可能な場合（状態１２）までの各状態については、図７に示すように段階的にアンテナバーの本数が変化して表示される。すなわち、受信データ誤り率が０％の状態１１よりやや高い受信データ誤り率（０％＜データ誤り率≦３０％）の状態１１ａではアンテナバーは２本の表示となり、さらに、状態１１ａよりやや高い受信データ誤り率（３０％＜データ誤り率≦６０％）の状態１１ｂではアンテナバーは１本の表示となる。
【００３７】
また、放送波の受信データ誤り率が映像を視聴不可能なレベルまで劣化し、さらに放送波の変調同期信号も同期部５で検出不可能な場合（状態１３）では、図４に示すように、表示部９の上部余白には、例えばアンテナバーやＤＴＶマークは表示されない。これによって、使用者はディジタルテレビジョン放送の放送エリア外にいることを知ることができる。
【００３８】
以上のような表示動作により、携帯型ディジタルテレビジョン放送受信機１の移動中で現在地がディジタルテレビジョン放送のサービスエリア内であるか否かが使用者には判断できない場合においても、変調同期信号の検出情報を放送エリア表示として表示部に表示させることにより、受信データ誤り率が映像を再生できないレベルに劣化していても、サービスエリア内か否かを使用者に通知することができる。したがって、使用者はこの情報をもとに、サービスエリア内である場合には頻繁に放送受信を試みることにより視聴チャンスを高めることができる。
【００３９】
なお、実施の形態２においては、受信レベル表示として受信データ誤り率と連動した最高３本のアンテナバー表示を用いる構成を示したが、アンテナバーの最高本数は何本でも構わず、また、受信データ誤り率に連動した表示が行えるその他の如何なる表示方法を用いる構成としても本発明を実現することができる。また、実施の形態２においては、受信データ誤り率が映像を視聴不可能なレベルまで劣化している場合には、アンテナバーを０本表示とする構成を示したが、受信データ誤り率が悪いことを示すものとして、例えば圏外マーク等のマークや文字によって表示を行う構成としても本発明を実現することができる。
【００４０】
〈実施の形態３〉
図８は、本発明の実施の形態３に係る携帯型ディジタルテレビジョン放送受信機の構成を示すブロック図である。実施の形態３に係る携帯型ディジタルテレビジョン放送受信機１が実施の形態１と異なる点は、実施の形態１では放送受信部３に電界強度判定部７を備えていたところを、実施の形態３では放送受信部１３にレベル判定部１４を備えたところである。このように放送受信部の構成が異なっているため、実施の形態１の放送受信部３は、実施の形態３では放送受信部１３と符号が変えてある。
【００４１】
図８において、放送受信部１３は、受信部４、同期部５、復調部６、及び受信放送波のキャリア信号対ノイズ比を算出するレベル判定部１４によって構成されている。このレベル判定部１４は、受信放送波のキャリア信号対ノイズ比を算出して制御部８へ出力する。すると、制御部８は、同期部５から入力された変調同期信号をもとにディジタルテレビジョン放送エリアを表示部９に表示させ、かつ、レベル判定部１４から入力されたキャリア信号対ノイズ比をもとにディジタルテレビジョン受信レベルを表示部９に表示させる。それ以外の構成及び動作は実施の形態１と同じであるので重複する説明は省略する。
【００４２】
次に、図８のように構成された実施の形態２の携帯型ディジタルテレビジョン放送受信機１において、表示部９にディジタルテレビジョン放送波の受信状況を表示させる方法を、以下の３つの状態において前述の図２、図３、及び図４を参照しながら説明する。なお、実施の形態３では、図２の受信電界強度が高い場合（状態１）を、キャリア信号対ノイズ比が高い場合（状態２１）と読み替え、図３の受信電界強度は低いが変調同期信号は受信可能である場合（状態２）を、キャリア信号対ノイズ比は低いが変調同期信号は受信可能である場合（状態２２）と読み替え、さらに、図４の受信電界強度が低く変調同期信号も受信できない場合（状態３）を、キャリア信号対ノイズ比が低く変調同期信号も受信できない場合（状態２３）と読み替えることにする。また、図９は、本発明の実施の形態３に係る携帯型ディジタルテレビジョン放送受信機の表示部９の余白に表示された放送波受信状況の各状態の表示例を示す図であるので必要に応じて図９も参照する。
【００４３】
ディジタルテレビジョン放送波のキャリア信号対ノイズ比が十分高く映像を視聴できる場合（状態２１）では、図２に示すように、例えば表示部９の上部余白に、受信レベル表示として、例えばアンテナバーを表示させる。アンテナバーの本数は、例えば図９に示すような設定値によりキャリア信号対ノイズ比と連動して増減させる。図２の表示例に示すようにアンテナバーが３本全て表示されている場合は、キャリア信号対ノイズ比が高く（つまり、図９に示すようにキャリア信号対ノイズ比が３０ｄＢｍ以上であるので）良好な画質を得られることを示している。また、この状態では、ディジタルテレビジョン放送波の変調同期信号は当然検出されているため、変調同期信号の検出によりディジタルテレビジョン放送エリア内と判断され、放送エリア表示として、図２に示すように、例えばアンテナバー表示の横にＤＴＶマークを表示させる。
【００４４】
また、ディジタルテレビジョン放送波のキャリア信号対ノイズ比が映像を視聴不可能なレベルまで劣化しているが放送波の変調同期信号を同期部５によって検出可能な場合（状態２２）には、図３に示すように、アンテナバーは０本表示となり、映像を視聴できないことを示している。しかし、放送エリア表示としてのＤＴＶマークは表示されているため、使用者はディジタルテレビジョン放送の放送エリア内にいることを知ることができる。
【００４５】
なお、ディジタルテレビジョン放送波のキャリア信号対ノイズ比が３０ｄＢｍ以上であって良好な画質を得られるレベル（状態２１）から、キャリア信号対ノイズ比が映像を視聴不可能なレベル（１０ｄＢｍ未満）まで低下しているが、ディジタルテレビジョン放送波の変調同期信号を同期部５によって検出可能な場合（状態２２）までの各状態においては、図９に示すように段階的にアンテナバーの本数が変化して表示される。すなわち、状態２１よりやや低いキャリア信号対ノイズ比（２０ｄＢｍ以上、３０ｄＢｍ未満）の状態２１ａではアンテナバーは２本の表示となり、さらに、状態２１ａよりやや低いキャリア信号対ノイズ比（１０ｄＢｍ以上、２０ｄＢｍ未満）の状態２１ｂではアンテナバーは１本の表示となる。
【００４６】
また、ディジタルテレビジョン放送波のキャリア信号対ノイズ比が映像を視聴不可能なレベルまで劣化し、さらに放送波の変調同期信号も同期部５で検出不可能な場合（状態２３）では、図４に示すように、表示部９の上部余白には、例えばアンテナバーやＤＴＶマークは表示されない。これにより、使用者はディジタルテレビジョン放送の放送エリア外にいることを知ることができる。
【００４７】
以上のような表示動作により、携帯型ディジタルテレビジョン放送受信機１の移動中で現在地がディジタルテレビジョン放送のサービスエリア内であるか否かが使用者には判断できない場合においても、変調同期信号の検出情報を放送エリア表示として表示部９に表示することにより、キャリア信号対ノイズ比が映像を再生できないレベルに劣化していても、サービスエリア内か否かを使用者に通知することができる。したがって、使用者はこの情報をもとに、サービスエリア内である場合には頻繁に放送受信を試みることにより視聴チャンスを高めることができる。
【００４８】
なお、実施の形態３においては、受信レベル表示としてキャリア信号対ノイズ比と比例した最高３本のアンテナバー表示を用いる構成を示したが、アンテナバーの最高本数は何本でも構わず、また、キャリア信号対ノイズ比に比例した表示が行えるような如何なる表示方法を用いる構成としても本発明が適用されることはいうまでもない。また、実施の形態３においては、キャリア信号対ノイズ比が映像を視聴不可能なレベルまで劣化している場合には、アンテナバーを０本表示とする構成を示したが、キャリア信号対ノイズ比が悪いことを示すものとして、例えば圏外マーク等のマークや文字によって表示を行う構成としても本発明が適用されることはいうまでもない。
【００４９】
〈実施の形態４〉
図１０は、本発明の実施の形態４に係る携帯電話機の構成を示すブロック図である。図１０に示す携帯電話機２４は、携帯電話無線部１７と携帯電話変復調部１８と携帯電話電界強度判定部１９とを有する携帯電話送受信部１６、受信部４と同期部５と復調部６と電界強度判定部７とを有する放送受信部３、音声信号や映像信号を再生するための各種制御を行う制御部２０、映像信号を再生して表示させる表示部２１、音声信号を音声に再生する音声再生部２２、及び制御部２０に操作情報を入力するキー入力部２３を備えた構成となっている。
【００５０】
次に、図１０に示す携帯電話機２４の概略的な動作について説明する。携帯電話機２４の通信は、携帯電話機２４の内部又は表面に設けられたアンテナ１５によって行われ、アンテナ１５により受信された基地局（図示せず）からの携帯電話受信波は、携帯電話送受信部１６に入力される。また、携帯電話送受信部１６から出力された基地局への携帯電話送信波はアンテナ１５から送信される。
【００５１】
携帯電話送受信部１６の内部においては、携帯電話無線部１７が、アンテナ１５から入力された携帯電話受信波を携帯電話受信ディジタルベースバンド信号に変換して携帯電話変復調部１８及び携帯電話電界強度判定部１９に出力すると共に、携帯電話変復調部１８から入力された携帯電話送信ディジタルベースバンド信号を携帯電話送信波に変換してアンテナ１５へ出力する。また、携帯電話変復調部１８が、携帯電話無線部１７から入力された携帯電話受信ディジタルベースバンド信号を、音声通信時は音声信号に変換し、データ通信時はデータ信号に変換して制御部２０へ出力する。さらに、携帯電話変復調部１８は、制御部２０から入力された音声信号及びデータ信号を携帯電話送信ディジタルベースバンド信号に変換し、携帯電話無線部１７へ出力する。
【００５２】
また、携帯電話電界強度判定部１９は、携帯電話受信波の電界強度を検出して制御部２０へ出力する。すると、制御部２０は、携帯電話変復調部１６から入力された音声信号を音声再生部２２によって再生させ、図示しない音声入力部から入力された音声信号を携帯電話変復調部１８へ出力する。
【００５３】
一方、ディジタルテレビジョン放送波は、携帯電話機２４の内部又は表面又は外部に設けられたアンテナ２により受信されて放送受信部３に入力される。放送受信部３の内部においては、受信部４が、アンテナ２から入力された受信放送波をディジタルベースバンド信号に変換する。また、同期部５は、ディジタルベースバンド信号に変換された受信放送波から変調同期信号を検出して復調部６及び制御部２０へ出力する。復調部６は、ディジタルベースバンド信号に変換された受信放送波を同期部５から入力された変調同期信号を参照して映像信号及び音声信号に変換して制御部２０へ出力する。
【００５４】
また、電界強度判定部７は、受信放送波の電界強度を検出して制御部２０へ出力する。制御部２０は、復調部６から入力された映像信号を表示部２１によって再生させ、音声信号を音声再生部２２によって再生させる。さらに、制御部２０は、同期部５から入力された変調同期信号をもとにディジタルテレビジョン放送エリアを表示部２１に表示させ、電界強度判定部７から入力された受信電界強度信号をもとにディジタルテレビジョン受信レベルを表示部２１に表示させる。表示部２１は、例えば液晶や有機ＥＬといった素子で構成される映像表示装置である。音声再生部２２は、例えばスピーカやイヤホンといった素子で構成される音声出力装置である。
【００５５】
以上のように構成された携帯電話機２４において、携帯電話モードとディジタルテレビジョン視聴モードとの切替時の動作を図１１及び図１２に示すフローチャートを用いて説明する。また、表示部２１にディジタルテレビジョン放送波及び携帯電話受信波の受信状況を表示させる方法の一例を図１３から図１５を用いて説明する。
【００５６】
なお、図１１は、本発明の実施の形態４に係る携帯電話機における、携帯電話モードからディジタルテレビジョン視聴モードに切り替える場合の動作を示すフローチャートである。また、図１２は、本発明の実施の形態４に係る携帯電話機における、ディジタルテレビジョン視聴モードから携帯電話モードに切り替える場合の動作を示すフローチャートである。さらに、図１３は、本発明の実施の形態４に係る携帯電話機の表示部２１における、携帯電話と放送波の受信状況が共に良好な場合の表示例を示す図である。また、図１４は、本発明の実施の形態４に係る携帯電話機の表示部２１における、携帯電話は圏外であるがディジタルテレビジョン放送波の受信状況は良好な場合の表示例を示す図である。さらに、図１５は、本発明の実施の形態４に係る携帯電話機の表示部２１における、携帯電話の受信状況は良好であるがディジタルテレビジョン放送のサービスエリア外である場合の表示例を示す図である。また、図１６は、本発明の実施の形態４に係る携帯電話機の表示部２１における、図１１のフローチャートでのステップＳ１０６の状態の表示例を示す図である。さらに、図１７は、本発明の実施の形態４に係る携帯電話機の表示部２１における、図１２のフローチャートでのステップＳ２０６の状態の表示例を示す図である。
【００５７】
まず、図１３から図１５を用いて、表示部２１にディジタルテレビジョン放送波及び携帯電話受信波の受信状況を表示させる方法の一例を説明する。携帯電話受信波の受信状況を表示部２１に表示させる方法は、例えば、受信波の受信電界強度に連動したアンテナバー表示と、圏外時における圏外表示による。ディジタルテレビジョン放送波の受信状況を表示部２１に表示させる方法は、先に述べた実施の形態１と同様であり、例えば、放送波の受信電界強度に連動したアンテナバー表示と、放送波の変調同期信号の検出によりディジタルテレビジョン放送エリア内を示すＤＴＶマーク表示による。
【００５８】
実施の形態４では、携帯電話送受信部１６と放送受信部３は独立して動作させることができるため、携帯電話モードであってもディジタルテレビジョン放送波の受信状況を把握することができ、またディジタルテレビジョン視聴モードであっても携帯電話の受信状況を把握することができる。
【００５９】
図１３から図１５は表示部２１での受信状況の表示例を示し、図１３は携帯電話とディジタルテレビジョン放送波の受信状況が共に良好な場合の表示例であって、携帯電話とディジタルテレビジョン放送のアンテナバー表示が並べて表示されている。携帯電話のアンテナバーには携帯電話マークが併記され、ディジタルテレビジョンのアンテナバー表示には放送エリア内を示すＤＴＶマークが併記されている。このとき、双方のアンテナバーは容易に区別できるようになっている。
【００６０】
図１４は、携帯電話は受信状況が悪くて圏外であるが、放送波の受信状況は良好な場合の表示例であり、携帯電話のアンテナバーは圏外表示となっている。また、図１５は、携帯電話の受信状況は良好であるがディジタルテレビジョンの受信状況が悪く変調同期信号も検出できない場合の表示例であり、携帯電話のアンテナバーのみが表示されている。
【００６１】
次に、携帯電話モードからディジタルテレビジョン視聴モードに切り替える場合の動作を図１１に示すフローチャートを用いて説明する。ここで、携帯電話モードとは、携帯電話の待ち受け及び通話とデータ通信を行うモードであり、ディジタルテレビジョン機能については、表示部２１の余白にディジタルテレビジョン放送エリアとアンテナバー表示のみが行われている。また、ディジタルテレビジョン視聴モードとは、ディジタルテレビジョン放送を視聴するモードであり、携帯電話機能については待ち受け状態であり、表示部２１の余白にアンテナバー表示のみが行われている。
【００６２】
まず、ディジタルテレビジョンは放送エリア・アンテナバー表示のみである携帯電話モードにおいて（ステップＳ１０１）において、使用者がキー入力部２３の操作等によりディジタルテレビジョン視聴モードへの切り替えを選択した場合（ステップＳ１０２）、制御部２０は放送波の変調同期信号の検出有無によりディジタルテレビジョン放送エリア内であるか否かを判定する（ステップＳ１０３）。ここで、ディジタルテレビジョン放送波はディジタルテレビジョン放送エリア内である場合には（ステップＳ１０４でＹｅｓの場合）、携帯電話はアンテナバー表示のみのディジタルテレビジョン視聴モードに移行する（ステップＳ１０５）。
【００６３】
一方、ディジタルテレビジョン放送波はディジタルテレビジョン放送エリア外である場合には（ステップＳ１０４でＮｏの場合）、例えば、図１６に示すようなディジタルテレビジョン放送エリア外警告を表示部２１に表示させ（ステップＳ１０６）、ディジタルテレビジョンは放送エリア・アンテナバー表示のみである携帯電話モードに復帰する（ステップＳ１０７）。
【００６４】
次に、ディジタルテレビジョン視聴モードから携帯電話モードに切り替える場合の動作を図１２に示すフローチャートを用いて説明する。まず、携帯電話はアンテナバー表示のみであるディジタルテレビジョン視聴モードにおいて（ステップＳ２０１）、使用者がキー入力部２３の操作等によって携帯電話モードへの切り替えを選択した場合（ステップＳ２０２）、制御部２０は携帯電話受信波の受信電界強度により携帯電話圏内にあるか否かを判断し（ステップＳ２０３）、携帯電話圏内である場合には（ステップＳ２０４でＹｅｓの場合）、ディジタルテレビジョンは放送エリア表示・アンテナバー表示のみの携帯電話モードに移行する（ステップＳ２０５）。
【００６５】
一方、携帯電話圏外である場合には（ステップＳ２０４でＮｏの場合）、例えば、図１７に示すような携帯電話圏外の警告を表示部２１に表示させ、ディジタルテレビジョン視聴モードを終了するか否かの終了選択画面を表示して使用者に選択を求める（ステップＳ２０６）。ここで、使用者はキー入力部２３の操作等によりディジタルテレビジョン視聴モードを終了する選択を行い（ステップＳ２０７）、使用者がディジタルテレビジョン視聴モードの終了を選択した場合には（ステップＳ２０８でＹｅｓの場合）、ディジタルテレビジョンは放送エリア表示・アンテナバー表示のみの携帯電話モードに移行する（ステップＳ２０５）。
【００６６】
一方、携帯電話圏内に復帰するのを待ち、使用者がディジタルテレビジョン視聴モードの継続を選択した場合には（ステップＳ２０８でＮｏの場合）、携帯電話はアンテナバー表示のみのディジタルテレビジョン視聴モードに復帰する（ステップＳ２０９）。
【００６７】
以上のような動作により、携帯電話機が移動中で現在地がディジタルテレビジョン放送のサービスエリア内であるか否かが使用者には判断できない場合においても、変調同期信号の検出情報を放送エリア表示として表示部２１に表示することにより、受信電界強度が映像を再生できないレベルに低下していても、サービスエリア内であるか否かを使用者に通知することができる。したがって、使用者はこの情報をもとに、サービスエリア内である場合には頻繁に放送受信を試みることにより視聴チャンスを高めることができる。
【００６８】
また、携帯電話モードであってもディジタルテレビジョン放送の受信状況を常に把握することができる。さらに、ディジタルテレビジョン視聴モードであっても携帯電話の受信状況を常に把握できるため、より利便性を高めることができる。また、使用者がモード切り替えを選択した場合に、移行先モードの受信状況が悪い場合に警告を表示することにより、さらに利便性を高めるだけでなく、携帯電話機の消費電力を削減することができる。
【００６９】
なお、実施の形態４においては、表示部２１を１個のみ備える構成を示したが、２個以上の表示部を備え、各表示部に携帯電話とディジタルテレビジョン放送の受信状況を表示できる構成としてもよい。また、実施の形態４においては、携帯電話の電界強度を表示するアンテナバーに携帯電話マークを併記する構成を示したが、携帯電話と認識できる如何なるマークや文字によって表示を行う構成としてもよい。
【００７０】
なお、前述した実施の形態１から実施の形態４においては、ディジタルテレビジョンの放送エリア表示として放送波の変調同期信号の検出をＤＴＶマークによって表示する構成を示したが、ディジタルテレビジョンと認識できるいかなるマークや文字によって表示を行う構成としても本発明が実現できることはいうまでもない。
【産業上の利用可能性】
【００７１】
本発明に係る携帯型ディジタルテレビジョン放送受信機及び携帯電話機は、使用者がディジタルテレビジョン放送のサービスエリア内か否かを簡単に知ることができるので、使い勝手がよく汎用性の高い携帯端末として有効に利用することができる。
【図面の簡単な説明】
【００７２】
【図１】本発明の実施の形態１に係る携帯型ディジタルテレビジョン放送受信機の構成を示すブロック図
【図２】本発明の実施の形態１に係る携帯型ディジタルテレビジョン放送受信機の表示部における、受信電界強度が高い場合（状態１）の表示状態の一例を示す図
【図３】本発明の実施の形態１に係る携帯型ディジタルテレビジョン放送受信機の表示部における、受信電界強度は低いが変調同期信号は受信可能である場合（状態２）の表示状態の一例を示す図
【図４】本発明の実施の形態１に係る携帯型ディジタルテレビジョン放送受信機の表示部における、受信電界強度が低く変調同期信号も受信できない場合（状態３）の表示状態の一例を示す図
【図５】本発明の実施の形態１に係る携帯型ディジタルテレビジョン放送受信機の表示部の余白に表示された放送波受信状況の各状態の表示例を示す図
【図６】本発明の実施の形態２に係る携帯型ディジタルテレビジョン放送受信機の構成を示すブロック図
【図７】本発明の実施の形態２に係る携帯型ディジタルテレビジョン放送受信機の表示部の余白に表示された放送波受信状況の各状態の表示例を示す図
【図８】本発明の実施の形態３に係る携帯型ディジタルテレビジョン放送受信機の構成を示すブロック図
【図９】本発明の実施の形態３に係る携帯型ディジタルテレビジョン放送受信機の表示部９の余白に表示された放送波受信状況の各状態の表示例を示す図
【図１０】本発明の実施の形態４に係る携帯電話機の構成を示すブロック図
【図１１】本発明の実施の形態４に係る携帯電話機における、携帯電話モードからディジタルテレビジョン視聴モードに切り替える場合の動作を示すフローチャート
【図１２】本発明の実施の形態４に係る携帯電話機における、ディジタルテレビジョン視聴モードから携帯電話モードに切り替える場合の動作を示すフローチャート
【図１３】本発明の実施の形態４に係る携帯電話機の表示部における、携帯電話とディジタルテレビジョン放送波の受信状況が共に良好な場合の表示例を示す図
【図１４】本発明の実施の形態４に係る携帯電話機の表示部における、携帯電話は圏外であるがディジタルテレビジョン放送波の受信状況は良好な場合の表示例を示す図
【図１５】本発明の実施の形態４に係る携帯電話機の表示部における、携帯電話の受信状況は良好であるがディジタルテレビジョン放送のサービスエリア外である場合の表示例を示す図
【図１６】本発明の実施の形態４に係る携帯電話機の表示部における、図１１のフローチャートでのステップＳ１０６の状態の表示例を示す図
【図１７】本発明の実施の形態４に係る携帯電話機の表示部における、図１２のフローチャートでのステップＳ２０６の状態の表示例を示す図
【符号の説明】
【００７３】
１  携帯型ディジタルテレビジョン放送受信機
２、１５  アンテナ
３、１１、１３  放送受信部
４  受信部
５  同期部
６  復調部
７  電界強度判定部
８、２０  制御部
９、２１  表示部
１０、２２  音声再生部
１２  誤り率判定部
１４  レベル判定部
１６  携帯電話送受信部
１７  携帯電話無線部
１８  携帯電話変復調部
１９  携帯電話電界強度判定部
２３  キー入力部
２４  携帯電話機
【図１】
2007110444.tif 000003
【図２】
2007110444.tif 000004
【図３】
2007110444.tif 000005
【図４】
2007110444.tif 000006
【図５】
2007110444.tif 000007
【図６】
2007110444.tif 000008
【図７】
2007110444.tif 000009
【図８】
2007110444.tif 000010
【図９】
2007110444.tif 000011
【図１０】
2007110444.tif 000012
【図１１】
2007110444.tif 000013
【図１２】
2007110444.tif 000014
【図１３】
2007110444.tif 000015
【図１４】
2007110444.tif 000016
【図１５】
2007110444.tif 000017
【図１６】
2007110444.tif 000018
【図１７】
2007110444.tif 000019